(57)【要約】【課題】高い強度を有する収納什器を提供する。【解決手段】少なくとも１面に開口３０を有する収納本体３と、収納本体３の開口３０を開閉可能な開閉扉１０と、を備える収納什器１であって、開閉扉１０は、開口３０を閉鎖可能な蓋枠体１１と、蓋枠体１１とほぼ同じ大きさに形成され蓋枠体１１の表面側に配設される把手枠体５０と、から構成されており、把手枠体５０には、外方から内方に向かって凹む溝部１５が形成され、溝部１５の前方には延出庇５０ｃが形成されている。【選択図】図７
2019034077.tif 000002
【特許請求の範囲】
【請求項１】
少なくとも１面に開口を有する収納本体と、該収納本体の前記開口を開閉可能な開閉扉と、を備える収納什器であって、
前記開閉扉は、前記開口を閉鎖可能な蓋枠体と、該蓋枠体とほぼ同じ大きさに形成され該蓋枠体の表面側に配設される把手枠体と、から構成されており、
前記把手枠体には、外方から内方に向かって凹む溝部が形成され、該溝部の前方には延出庇が形成されていることを特徴とする収納什器。
【請求項２】
前記蓋枠体と前記把手枠体は、樹脂で一体形成されていることを特徴とする請求項１に記載の収納什器。
【請求項３】
前記蓋枠体及び前記把手枠体は、パネル状に形成されており、前記開閉扉には、前記把手枠体とほぼ同じ大きさに金属で形成されたパネル状の表面材が該把手枠体の表面に取付けられていることを特徴とする請求項１または２に記載の収納什器。
【請求項４】
前記溝部は、前記蓋枠体と前記把手枠体との間における周部に亘って形成されていることを特徴とする請求項１ないし３に記載の収納什器。
【請求項５】
前記表面材は、該表面材の表面から突出することなく前記開閉扉の裏側に取付けられる固定部材によって前記把手枠体の表面に取付けられていることを特徴とする請求項３に記載の収納什器。
【請求項６】
前記把手枠体には、周部に亘って表面から該表面に略垂直方向に突出する外枠が形成されており、
前記表面材は、前記外枠によって囲まれていることを特徴とする請求項３または５に記載の収納什器。
【発明の詳細な説明】
【技術分野】
【０００１】
本発明は、開閉扉を備える収納什器に関する。
【背景技術】
【０００２】
従来、収納部にアクセスするための開口を備える箱状に形成された収納什器が知られており、このような収納什器には、下端部に取付けられたヒンジを中心に回動させることにより開口を開閉可能な開閉扉が設けられている。また、収納什器の開閉扉を特定の利用者が開放できるように、特定の手段（例えば、鍵、ダイヤル合わせ、暗証番号入力等）を用いることによって解錠可能なロック装置が備え付けられているものもある。開閉扉は、加工性が良いことから、樹脂（例えば、アクリル樹脂、ポリカーボネイト樹脂、塩化ビニル樹脂等）で形成されているものがある。
【０００３】
このような収納什器として、特許文献１に示されるように、開口を有する収納本体と、該収納本体の開口を開閉可能な樹脂で形成された開閉扉と、を備え、南京錠により開閉扉を施錠可能なものがある。詳しくは、収納本体の開口は、開閉扉を上下方向にスライドさせることにより開閉可能となっており、開閉扉の下端部には、該下端部から前方に向かって突出するとともに、その先端側がやや下方に傾く形状に金属で形成された把手部が取り付けられている。把手部及び収納本体前方の下端部には係止孔がそれぞれ形成されており、これら係止孔に南京錠の掛け金を通して施錠することにより、開閉扉を開放不能な状態にすることができる。
【先行技術文献】
【特許文献】
【０００４】
【特許文献１】特開２００１−２９９５６１号公報（第６頁、第５図）
【発明の概要】
【発明が解決しようとする課題】
【０００５】
しかしながら、特許文献１にあっては、開閉扉が樹脂で形成されていることから、開閉扉に南京錠を用いて施錠がなされていた場合であっても、開閉扉が正面から殴打されたり、開閉扉の把手に器具を掛ける等により把手そのものが開閉扉から除去されたり、把手を手掛かりとして開閉扉が破壊されたりすることにより、収納本体の開口が開放され、収納什器内の物品が盗難・紛失等の被害にあう虞があった。
【０００６】
本発明は、このような問題点に着目してなされたもので、高い強度を有する収納什器を提供することを目的とする。
【課題を解決するための手段】
【０００７】
前記課題を解決するために、本発明の収納什器は、
少なくとも１面に開口を有する収納本体と、該収納本体の前記開口を開閉可能な開閉扉と、を備える収納什器であって、
前記開閉扉は、前記開口を閉鎖可能な蓋枠体と、該蓋枠体とほぼ同じ大きさに形成され該蓋枠体の表面側に配設される把手枠体と、から構成されており、
前記把手枠体には、外方から内方に向かって凹む溝部が形成され、該溝部の前方には延出庇が形成されていることを特徴としている。
この特徴によれば、開閉扉の延出庇を把持して開閉扉を開閉できるのみならず、開閉扉は、蓋枠体と把手枠体との二重構造により高い強度を有しているため、開閉扉は正面からの耐衝撃に優れる。
【０００８】
前記蓋枠体と前記把手枠体は、樹脂で一体形成されていることを特徴としている。
この特徴によれば、蓋枠体と把手枠体との境目が形成されないことから、構造体としての強度が高められている。
【０００９】
前記蓋枠体及び前記把手枠体は、パネル状に形成されており、前記開閉扉には、前記把手枠体とほぼ同じ大きさに金属で形成されたパネル状の表面材が該把手枠体の表面に取付けられていることを特徴としている。
この特徴によれば、前記蓋枠体及び前記把手枠体をパネル状とすることで前後方向の寸法を短尺に形成できるとともに、把手枠体の表面がパネル状の表面材で覆われることで正面からの衝撃を緩和することができるため強度を高めることができる。
【００１０】
前記溝部は、前記蓋枠体と前記把手枠体との間における周部に亘って形成されていることを特徴としている。
この特徴によれば、収納本体に出し入れする物品や開閉扉の開度状態に応じて延出庇の把持される位置を適宜変更することができるため、利便性がよい。
【００１１】
前記表面材は、該表面材の表面から突出することなく前記開閉扉の裏側に取付けられる固定部材によって前記把手枠体の表面に取付けられていることを特徴としている。
この特徴によれば、表面材の表面側には固定部材が露出していないため、表面材は把手枠体から剥がされ難い。
【００１２】
前記把手枠体には、周部に亘って表面から該表面に略垂直方向に突出する外枠が形成されており、
前記表面材は、前記外枠によって囲まれていることを特徴としている。
この特徴によれば、把手枠体と表面材との間の境目の周部が外枠により囲まれているため、把手枠体と表面材との間の境目にアクセスし難く、表面材は把手枠体から剥がされ難くなっている。
【図面の簡単な説明】
【００１３】
【図１】実施例における開閉扉を備える宅配ボックスの平常状態を示す斜視図である。
【図２】開閉扉を備える宅配ボックスの第１開放状態を示す斜視図である。
【図３】開閉扉を備える宅配ボックスの第２開放状態を示す斜視図である。
【図４】開閉扉を示す正面から見た分解斜視図である。
【図５】開閉扉を示す背面から見た分解斜視図である。
【図６】開閉扉を示す正面図である。
【図７】（ａ）は、開閉扉の上面図であり、（ｂ）は、開閉扉の右側面図である。
【図８】開閉扉を右側面から見た断面図である。
【００１４】
本発明に係る収納什器を実施するための形態を実施例に基づいて以下に説明する。
【実施例】
【００１５】
実施例に係る収納什器につき、図１から図８を参照して説明する。以下、図１の紙面左下側を収納什器の正面側（前方側）とし、その前方側から見たときの上下左右前後方向を基準として説明する。また、平常状態における開閉扉を基準とする開閉扉の前、後をそれぞれ表、裏ともいう。
【００１６】
本実施例の収納什器である宅配ボックス１は、建物の外壁等にネジ等を用いて取付けられ、開閉扉１０を操作することで内部の収納部３５（図３参照）に郵便物や宅配物等を収納できるものである。
【００１７】
図１〜図３に示されるように、宅配ボックス１は、正面側に開口２０を備える箱状に形成された外箱２と、外箱２内に収納可能かつ正面側に開口３０を備える箱状に形成された内箱３（収納本体）と、外箱２及び内箱３の開口２０，３０をそれぞれ閉鎖可能に形成された開閉扉１０と、から構成されており、外箱２は、上壁部と下壁部と後壁部がステンレスで形成され、右壁部と左壁部が樹脂で形成されている。尚、開閉扉１０により外箱２の開口２０を閉鎖した際に、開閉扉１０の磁石１７の着磁力より閉鎖状態を保持するようにしている。この場合には、少なくとも外箱２の上壁部の前端部に、材料は問わないが着磁性を有するものを用いるとよい。
【００１８】
内箱３及び開閉扉１０は、ヒンジ部４，４（図３参照）により外箱２の下壁部の前端部に軸支された状態で取付けられている。図１に示される、開閉扉１０により外箱２の開口２０の閉鎖状態が保持される閉鎖状態（以降、「平常状態」と記載する）においては、雨水等が外箱２の開口２０から外箱２の内部に進入することを防止することができる。
【００１９】
宅配ボックス１が平常状態であるとき、開閉扉１０の把手部１３の裏側に人差し指、中指等をかけるとともに前側を親指で押えることで把手部１３を把持し、前方に引っ張ることにより、内箱３はヒンジ部４，４を軸に回動し、図２に示される、内箱３の上部が外箱２の開口２０から突出して前方に傾動した状態（以降、「第１開放状態」と記載する）となる。尚、以降は、閉鎖状態から開放状態に移行する方向を単に「開放方向」と記載し、開放状態から閉鎖状態に移行する方向を単に「閉鎖方向」と記載する。
【００２０】
内箱３の内部は、開口３０から物品を収納可能な収納部３５（図３参照）となっており、内箱３の上壁部３１には、開口３０側に取付けられたロック装置３２と、ロック装置３２の後側において収納部３５に挿通し左右方向に延設された投函口３３と、が、備えられており、上述した第１開放状態とすることで、郵便物のような投函口３３に投函可能な物品を投函口３３から収納部３５に収納することができる。投函口３３には、長手方向に亘って収納部３５に収納される物品の抜き取りを防止する複数のフラップ３４，３４，…が取付けられている。
【００２１】
ロック装置３２の被係合部（図示略）は、開閉扉１０の留め具１６と係合可能であるとともに、ロック装置３２は、ロック操作をされることで留め具１６をロック装置３２の被係合部に係合させた状態でロック可能となっており、平常状態及び第１開放状態において、ロック装置３２により開閉扉１０の開放が防止されている。
【００２２】
一方、ロック装置３２は、解除操作をされることでロック状態が解除可能であり、第１開放状態において、ロック装置３２の解除操作を行い、開閉扉１０を開放方向に回動させることにより、内箱３の開口３０が開放された状態（以降、第２開放状態という）となる。第２開放状態においては、投函口３３から投函不能な大型の物品であっても、開口３０から収納部３５に収納することができ、一方で、収納部３５内に収納された物品を回収することができる。
【００２３】
宅配ボックス１が第２開放状態にあるとき、開閉扉１０の把手部１３を把持し、開閉扉１０を閉鎖方向に回動させることで、内箱３の開口３０を閉鎖し、第１開放状態となる。このとき、人がロック操作をすることなく、ロック装置３２が自動的にロック操作を行うものとしてもよい。また、宅配ボックス１が第１開放状態にあるとき、開閉扉１０の把手部１３を把持し、内箱３ごと開閉扉１０を閉鎖方向に回動させることで、内箱３を外箱２の内側に収納するとともに、外箱２の開口２０を閉鎖し、平常状態となる。
【００２４】
次に、図４〜図７を用いて開閉扉１０について説明する。開閉扉１０は、樹脂で一体形成された枠材５と、樹脂で形成された留め具１６と、ステンレス製で略矩形の板状に形成された表面材６と、から構成されている。
【００２５】
図４〜図６に示されるように、枠材５は、略矩形の蓋枠体１１と、蓋枠体１１とほぼ同じ大きさに形成される把手枠体５０とから構成され、これら蓋枠体１１と把手枠体５０とは樹脂で一体成形により形成されており、蓋枠体１１の前方に把手枠体５０が膨出する形状となっている。また、把手枠体５０の後方側の左右端部及び上端部に亘って内周方向に凹む溝部１５が形成されるとともに、溝部１５の前方には延出庇５０ｃが形成されている。
【００２６】
蓋枠体１１は、外箱２及び内箱３の開口２０，３０を閉鎖可能であり、把手枠体５０は、表面材６の取付け基台となり、かつ、表面材６とともに把手部１３を構成するものである。蓋枠体１１は外箱２の開口２０を含む前端面と略同一寸法の矩形の板状に形成されている。
【００２７】
蓋枠体１１の表面１１ａは略矩形状の略平面状に形成され、この表面１１ａには中央部に把手枠体５０が形成されている。蓋枠体１１の裏面１１ｂには、蓋枠体１１の外周部から略垂直後方に延設される略矩形状の外周縁１１ｃと、外周縁１１ｃよりも内側において裏面１１ｂから略垂直後方に延設される略矩形状の内周縁１１ｄと、下端部において左右方向に離間する一対の貫通孔１４，１４と、上端部に取付けられる磁石１７と、が、備えられている。
【００２８】
また、貫通孔１４，１４と同様に、外箱２及び内箱３の下端部には、左右方向に離間する一対の貫通孔が形成されている。これらの貫通孔に図示しないシャフトが挿通されて、ヒンジ部４，４（図３参照）が構成されている。
【００２９】
枠材５の把手枠体５０には、略格子状に形成されたリブ１２ｂと、リブ１２ｂの外側を囲むようにしてリブ１２ｂと一体に周壁状に形成された外周壁１２ａと、外周壁１２ａの前端部から蓋枠体１１の面方向外方に板状に延設される（外周壁１２ａと略直交する）略ロ字形状の延出庇５０ｃと、延出庇５０ｃの周部から略垂直前方に延設された略ロ字形状の外枠５０ｄと、延出庇５０ｃの上下端部において後述する把手枠体５０の表面５０ａ（図４参照）から表面材６の略板厚分前方に突出する略長方形状の板状段部５０ｅ，５０ｅと、が、備えられている。尚、外周壁１２ａの外周方向に位置する端面を、外周壁１２ａの表面１２ａ’とする。
【００３０】
また、把手枠体５０には、留め具１６が取付けられる留め具受け部５１と、把手枠体５０の表面５０ａの一部を構成する壁部５２ｂ，５３ｂ，５４ｂ，５５ｂと、が形成されている。
【００３１】
図５の吹き出し内に示されるように、壁部５５ｂの上部には、前後方向に貫通し上下方向に長尺なスリット５５ｃと、スリット５５ｃの下端部において前後方向に設けられた雌ネジ部５５ｅと、が、備えられている。また、壁部５５ｂの表面５５ａは、把手枠体５０の外周壁１２ａ、リブ１２ｂ及び延出庇５０ｃの前端面と、略同一平面状を成しており、これらを総称して把手枠体５０の表面５０ａとする。一方、延出庇５０ｃ及び外枠５０ｄの後端面が略同一平面上を成しており、これらを総称して把手枠体５０の把手裏面５０ｂとする。
【００３２】
尚、壁部５２ｂ，５３ｂについては、壁部５５ｂを上下に反転した形状であり、壁部５４ｂについては、壁部５５ｂと略同一形状であるため説明を省略する。更に尚、以降の説明においても壁部５５ｂを例に説明し、他の壁部５２ｂ，５３ｂ，５４ｂの説明については省略する。
【００３３】
図７（ａ），（ｂ）に示されるように、枠材５の溝部１５は、蓋枠体１１の表面１１ａと、外周壁１２ａの表面１２ａ’と、把手枠体５０の把手裏面５０ｂと、により断面視略上向きコ字状に囲まれた空間である。このことから、溝部１５を介して把手部１３の裏側である把手枠体５０の把手裏面５０ｂにアクセスすることができる。
【００３４】
主に図５を参照し、表面材６は、ステンレス板を打ち抜き加工及び折り曲げ加工により、把手枠体５０の表面５０ａとほぼ同じ大きさのパネル状に形成されている。詳しくは、表面材６の表側に位置する略平板状の主面部６０と、ステンレス板を左右端部で折り返して形成された折返し部６１Ｌ，６１Ｒと、折返し部６１Ｌ，６１Ｒの端部から略９０度切起こされた係止片６２，６３，６４，６５と、を備えており、係止片６２，６３，６４，６５は、枠材５の壁部５２ｂ，５３ｂ，５４ｂ，５５ｂそれぞれのスリット５２ｃ，５３ｃ，５４ｃ，５５ｃに対応する位置に形成されている。
【００３５】
尚、表面材６の板厚は、主面部６０の部分はステンレス板１枚分の板厚であり、折返し部６１Ｌ，６１Ｒが形成されている部分に関しては、主面部６０と折返し部６１Ｌ又は折返し部６１Ｒが重なっていることから、ステンレス板略２枚分の板厚となっている。更に尚、係止片６２，６３，６４，６５の左右寸法は主面部６０の板厚と略同一となっており、枠材５の壁部５２ｂ，５３ｂ，５４ｂ，５５ｂそれぞれのスリット５２ｃ，５３ｃ，５４ｃ，５５ｃの左右寸法と同寸乃至僅かに短尺である。
【００３６】
図５の吹き出し内に示されるように、係止片６５は、右側面視略上向き逆Ｌ字状に形成されており、該係止片６５には、折返し部６１Ｒの端部から略垂直後方に延出する基部６５ａと、基部６５ａの後方に連なり基部６５ａよりも上方に突出する頭部６５ｂと、が、備えられている。また、頭部６５ｂには、下方側に段状の被切欠き部６５ｃが形成され、前方側において略直線状に傾斜する傾斜部６５ｅが形成されている。
【００３７】
尚、係止片６２，６３，６４については、係止片６５と略同一形状であるため説明を省略する。更に尚、以降の説明においても係止片６５を例に説明し、他の係止片６２，６３，６４の説明については省略する。
【００３８】
次に、枠材５に表面材６を取付ける態様について、枠材５の壁部５５ｂと、表面材６の係止片６５を例に、図８を用いて説明する。
【００３９】
図８に示されるように、係止片６５の頭部６５ｂを壁部５５ｂに係止させた状態で、壁部５５ｂの雌ネジ部５５ｅにネジ７（固定部材）を螺合させることで、係止片６５の被切欠き部６５ｃにネジ７の頭部７０が当接して係合される。
【００４０】
詳しくは、表面材６を枠材５に取付ける際には、表面材６の係止片６５を枠材５の壁部５５ｂのスリット５５ｃに挿通させ、係止片６５の傾斜部６５ｅを壁部５５ｂに当接させた状態で表面材６を傾斜部６５ｅに沿って枠材５に対して斜め方向移動させることにより、表面材６の主面部６０及び折返し部６１Ｌ，６１Ｒが把手枠体５０の外枠５０ｄの内側に挿嵌され、主面部６０及び折返し部６１Ｌ，６１Ｒの各外周縁（以降、「表面材６の周部６ａ」（図６参照）と記載）が外枠５０ｄに囲まれた状態となるとともに、係止片６５の頭部６５ｂが壁部５５ｂに係止された状態で、ネジ７が取付けられることから、表面材６は枠材５から脱落し難い状態となっている。
【００４１】
また、表面材６は、表面材６の裏面側から延びる係止片６５が枠材５の壁部５５ｂのスリット５５ｃに挿通された状態で、係止片６５がネジ７によって枠材５の裏面側から壁部５５ｂに固定されるものであり、表面材６の表面側には係止片６５やネジ７が露出していないため、表面材６は把手枠体５０から剥がされ難い。
【００４２】
以上説明したように、枠体５に表面材６を取付けることで開閉扉１０の把手部１３を構成することができる。この把手部１３は、開閉扉１０の把手基部５０の溝部１５を介して延出庇５０ｃに中指等をかけるとともに表面材６の主面部６０を親指で押えることで把持され、把手部１３を把持した状態で開閉扉１０を開閉することができる。
【００４３】
次に、図４〜８を用いて、開閉扉１０の防犯性能について説明する。枠材５は、上述したように、樹脂で一体形成されたものであり、蓋枠体１１と把手枠体５０との境目が形成されないことから、構造体としての強度が高められている。また、枠材５は、蓋枠体１１と把手枠体５０との二重構造となっている。これらにより、枠材５の把手枠体５０の外周壁１２ａやリブ１２ｂが器具を用いて正面から殴打された場合であっても、器具が衝突した箇所の外周壁１２ａやリブ１２ｂによって衝撃を緩和することができるため、破壊され難い。
【００４４】
詳しくは、正面からの殴打による衝撃が外周壁１２ａやリブ１２ｂに作用すると、外周壁１２ａやリブ１２ｂの蓋枠体１１の表面１１ａから延出している方向に衝撃が作用することから、外周壁１２ａやリブ１２ｂは正面からの衝撃に強く、該衝撃が外周壁１２ａやリブ１２ｂの蓋枠体１１の表面１１ａ側から蓋枠体１１に伝わることで、蓋枠体１１の面方向に拡散・緩和されるため、蓋枠体１１と把手枠体５０との二重構造となっている部分は耐衝撃に優れる。
【００４５】
また、正面から延出庇５０ｃが殴打されると、延出庇５０ｃの外枠５０ｄ側は、外周壁１２ａと連続する部分を基点として破損され易くなっている。このように、延出庇５０ｃが破損することで、枠材５の他の構造が破壊され難い。
【００４６】
また、把手枠体５０の溝部１５に器具を差し込む等して把手枠体５０を蓋枠体１１から引き剥がすような大きな力が作用しても、延出庇５０ｃは破壊されやすいため、枠材５の他の構造が破壊され難い。
【００４７】
また、蓋枠体１１は、蓋枠体１１の裏面１１ｂに形成される外周縁１１ｃと内周縁１１ｄがリブの役割を果たすため、強度が高められている。
【００４８】
開閉扉１０は、上述したように枠材５の把手枠体５０の表面５０ａを表面材６の主面部６０で覆うように表面材６が取付けられている。これにより、開閉扉１０は正面から殴打された場合であっても、殴打による衝撃は主面部６０によって緩和された後、主面部６０の後方に位置する外周壁１２ａ、リブ１２ｂ、延出庇５０ｃ等に作用することから、枠材５だけの時と比較してより正面からの耐衝撃に優れている。
【００４９】
また、開閉扉１０は、表面材６がステンレス板で形成されていることから、主面部６０が衝撃の作用する方向に引き延ばされるように変形するため、作用する衝撃によって外周壁１２ａ、リブ１２ｂ、延出庇５０ｃ等が破損した場合であっても、該作用する衝撃に応じて主面部６０が変形することで、破損した外周壁１２ａ、リブ１２ｂ、延出庇５０ｃ等の略前方を変形した主面部６０が覆った状態となるため、主面部６０の後方に位置する外周壁１２ａ、リブ１２ｂ、蓋枠体１１等に直接アクセスすることを防止することができる。
【００５０】
一方、主面部６０が変形した箇所や、変形が進み裂けた個所等を手掛かりとして、主面部６０の一部を除去することもできるが、その除去には更に時間がかかるため、防犯性に優れる。
【００５１】
図６，図８の各吹き出し内に示されるように、開閉扉１０は、表面材６の周部６ａが枠材５の把手枠体５０の外枠５０ｄにより囲まれており、折返し部６１Ｌ，６１Ｒの間には板状段部５０ｅ，５０ｅが配置されていることから、折返し部６１Ｒの裏面６１Ｒ’及び主面部６０の裏面６０ｂと把手枠体５０の表面５０ａとの間の境目（以降、「表面材６と枠材５との境目」と記載）も外枠５０ｄによって囲まれている。そのため、表面材６と枠材５との境目にアクセスし難く、表面材６は把手枠体５０から剥がされ難くなっている。
【００５２】
また、開閉扉１０は、表面材６を枠材５の前方に向かって引き剥がそうとしても、表面材６は把手枠体５０の表面５０ａに対して略垂直前方に移動しようとすることから、表面材６の係止片６５の頭部６５ｂが枠材５の壁部５５ｂに係合するため、表面材６が枠材５から引き剥がされることを防止することができる。
【００５３】
また、開閉扉１０は、表面材６に折返し部６１Ｌ，６１Ｒが形成されていることから、表面材６の主面部６０を引き剥がす方向に力がかかった時に、主面部６０の裏面６０ｂが折返し部６１Ｌ，６１Ｒそれぞれの端部から離間し、折り返された部分が開くように変形するため、各係止片６２，６３，６４，６５に力が直接作用され難くなっている。
【００５４】
図４，５に示されるように、開閉扉１０は、留め具１６が枠材５に取付けられた状態で、表面材６によって覆われているため、留め具１６に対して直接アクセスされ難くなっている。
【００５５】
また、開閉扉１０は、留め具１６が把手枠体５０のリブ１２ｂに囲まれる留め具受け部５１に取付けられていることから、上述したように表面材６とリブ１２ｂによって破壊され難くなっている。
【００５６】
加えて、開閉扉１０は、蓋枠体１１及び把手枠体５０をパネル状とすることで前後方向の寸法を短尺に形成することができるとともに、把手枠体５０の表面５０ａがパネル状の表面材６の主面部６０で覆われることで正面からの衝撃を緩和することができるため、強度が高められている。また、開閉扉１０は、蓋枠体１１がリブの役割を果たす外周縁１１ｃと内周縁１１ｄによって、把手枠体５０が外周壁１２ａ及びリブ１２ｂによって、それぞれ構造体としての強度が高められているとともに、軽量化がなされている。
【００５７】
溝部１５は、把手枠体５０の後方側の左右端部及び上端部に亘って形成されていることから、内箱３の収納部３５に出し入れする物品や開閉扉１０の開度状態に応じて延出庇５０ｃの把持される位置を適宜変更することができるため、利便性がよい。また、溝部１５の前方には把手庇５０ｃが形成されていることから、宅配ボックス１の正面から開閉扉１０を見た際に、溝部１５が把手庇５０ｃによって見え難くなっているため、美観性が良い。
【００５８】
以上、本発明の実施例を図面により説明してきたが、具体的な構成はこれら実施例に限られるものではなく、本発明の要旨を逸脱しない範囲における変更や追加があっても本発明に含まれる。
【００５９】
例えば、前記実施例では、枠材５は樹脂で一体形成された態様として説明したが、これに限らず、蓋枠体と把手枠体とが別体に形成されたものが、ボルトナット、接着剤等により連結されていてもよい。この態様であれば、蓋枠体又は把手枠体のどちらかが破損した際に、破損した方だけを交換すればよい。
【００６０】
溝部１５は、把手枠体５０の左右端部及び上端部に亘って形成されている態様として説明したが、これに限らず、左右端部及び上端部の内一か所にだけ溝部が形成されていてもよく、複数の溝部が所定間隔置きに形成されていてもよく、左右方向中央部から左右端部に向かってそれぞれ下降するように形成されていてもよい。
【００６１】
表面材６は、各係止片６２，６３，６４，６５によって枠材５に係止された状態でネジ７，７，７，７を枠材５に螺合させることによって取付けられている態様として説明したが、これに限らず、表面材６の裏面に形成される雌ネジ部にネジ７が螺合されることで枠材５に取付けられる態様であってもよい。また、表面材６は、表面材６と枠材５とを前後方向に挿通するボルトとナットにより、枠材５に取付けられる態様であってもよい。
【００６２】
開閉扉１０は、枠材５と、留め具１６と、表面材６と、により構成されている態様として説明したが、これに限らず、枠材と留め具により形成されていてもよく、これらが一体形成されていてもよい。この態様であれば、把手枠体の把手庇を直接把持した状態で開閉扉を開閉させてもよい。
【符号の説明】
【００６３】
１                宅配ボックス（収納什器）
２                外箱
３                内箱（収納本体）
４                ヒンジ部
５                枠材
６                表面材
６ａ              周部
７                ネジ（固定部材）
１０              開閉扉
１１              蓋枠体
１１ａ            表面
１５              溝部
３０              開口
５０              把手枠体
５０ａ            表面
５０ｃ            延出庇
５０ｄ            外枠
５５ｅ            雌ネジ部
６０              主面部
６０ａ            表面
【図１】
2019034077.tif 000003
【図２】
2019034077.tif 000004
【図３】
2019034077.tif 000005
【図４】
2019034077.tif 000006
【図５】
2019034077.tif 000007
【図６】
2019034077.tif 000008
【図７】
2019034077.tif 000009
【図８】
2019034077.tif 000010